(57)【要約】【課題】電源装置からの電気供給量の増加を抑えつつ、装置内の温度を短時間で２５００ ℃以上の超高温にする。【解決手段】熱処理炉２内には、ヒーター４と、ヒーター４の内側に隔壁５とが配置されている。隔壁５の内側にるつぼ６が配置されている。るつぼ６内には被処理物１００が配置されている。隔壁５はるつぼ６及び被処理物１００を全包囲している。隔壁５はガス不透過性である。隔壁５内には、黒鉛管１２と黒鉛管１３と配管１４とが連通したガス導入路からガスが導入される。隔壁５内のガスは、黒鉛管１５と配管１６とが連通したガス排出路から熱処理炉２外に排出される。【選択図】図１
2016109424.tif 000002
【特許請求の範囲】
【請求項１】
内部が２５００ ℃以上３５００ ℃以下となる炉と、
前記炉内に配置されたヒーターと、
前記炉内で熱処理される被処理物と前記ヒーターとの間に配置され、被処理物を全包囲した隔壁と、
前記隔壁に接続されているとともに前記隔壁内と前記炉外とを連通したガス導入路及びガス排出路とを備えており、
前記隔壁がガス不透過性であることを特徴とする熱処理装置。
【請求項２】
前記ヒーター、前記隔壁、前記ガス導入路及び前記ガス排出路の主成分が炭素であり、
前記ヒーター、前記隔壁、前記ガス導入路及び前記ガス排出路の灰分が５０ ｐｐｍ以下であることを特徴とする請求項１に記載の熱処理装置。
【請求項３】
前記隔壁は、熱分解炭素被覆炭素材、ガラス状炭素被覆炭素材、及び炭化タンタル被覆炭素材からなる群から選ばれた少なくとも１つであることを特徴とする請求項１又は２に記載の熱処理装置。
【請求項４】
内部が２５００ ℃以上３５００ ℃以下となる炉と、
前記炉内に配置されたヒーターと、
前記炉内で熱処理される被処理物と前記ヒーターとの間に配置され、被処理物の一部または全部を包囲した隔壁と、
前記隔壁に接続されているとともに前記隔壁内と前記炉外とを連通したガス排出路とを備えており、
前記炉内において熱処理中の気体の流れが前記隔壁外から前記隔壁内に向かっていることを特徴とする熱処理装置。
【請求項５】
被処理物の全部を包囲する前記隔壁はガス透過性であることを特徴とする請求項４に記載の熱処理装置。
【請求項６】
前記ヒーター、前記隔壁及び前記ガス排出路の主成分は炭素であり、
前記ヒーター、前記隔壁及び前記ガス排出路の灰分が５０ ｐｐｍ以下であることを特徴とする請求項４又は５に記載の熱処理装置。
【請求項７】
前記隔壁外の気圧を前記隔壁内の気圧より高くする気圧差発生手段を備えていることを特徴とする請求項４〜６のいずれか１項に記載の熱処理装置。
【請求項８】
２５００ ℃から２９００ ℃にかけての前記ヒーターの抵抗変化率の減少率が２０ ％以下であることを特徴とする請求項１〜７のいずれか１項に記載の熱処理装置。
【請求項９】
前記被処理物は、Ａｌ、Ｂ、Ｂｅ、Ｃａ、Ｃｕ、Ｆｅ、Ｋ、Ｌｉ、Ｍｇ、Ｎａ、Ｎｉ、Ｓ、Ｓｉ、Ｔｉ、Ｖ、及びＺｎからなる群から選ばれた少なくとも１種類の金属又はこれら金属の化合物が含まれることを特徴とする請求項１〜８のいずれか１項に記載の熱処理装置。
【請求項１０】
前記ヒーターは筒状に形成され、
前記ヒーターの内側に配置され、内部に被処理物が配置されるるつぼを備えていることを特徴とすることを特徴とする請求項１〜９のいずれか１項に記載の熱処理装置。
【発明の詳細な説明】
【技術分野】
【０００１】
本発明は、被処理物を加熱する熱処理装置に関する。
【背景技術】
【０００２】
熱処理装置の炉内には、円筒状のヒーターが配置され、ヒーターの内側にるつぼが配置されている。るつぼ内には被処理物が配置されている（非特許文献１参照）。電源装置からヒーターに電気を供給すると、ヒーターが発熱することにより炉内温度が上昇する。これによりるつぼ内の被処理物が加熱処理される。
【先行技術文献】
【非特許文献】
【０００３】
【非特許文献１】岩下他２名、ＰＡＮ系及びピッチ系炭素繊維を用いたＣ/Ｃコンポジットの超高温下での材料力学的特性の比較、p.463のFig.1
【発明の概要】
【発明が解決しようとする課題】
【０００４】
被処理物には、Ａｌ、Ｂ、Ｂｅ、Ｃａ、Ｃｕ、Ｆｅ、Ｋ、Ｌｉ、Ｍｇ、Ｎａ、Ｎｉ、Ｓ、Ｓｉ、Ｔｉ、Ｖ、及びＺｎからなる群から選ばれた少なくとも１種類の金属又はこれら金属の化合物等の不純物が含まれている。近年、炉内温度を２５００ ℃以上の超高温にする要望が増えているが、２５００ ℃以上では上記金属等が被処理物から揮発しやすい。本発明者らの研究から、揮発した金属等は導電化促進物質となって炉内の雰囲気ガスの導電化を促進させ、雰囲気ガスが電流のバイパスとなることがわかった。
【０００５】
その結果、ヒーターに流れるはずの電気が雰囲気ガスに流れ、ヒーターの通電量が減少することによりヒーターの発熱量が低下する。これにより炉内温度が上昇しにくくなり、目的温度である超高温に達しないことがある。また、炉内温度が目的温度に達するまでの時間が非常に長くなり、被処理物の処理時間が長くなる。
【０００６】
この問題を解決するため、電源装置からの電気供給量を増加することが考えられるが、コストが増加する。
【０００７】
そこで、本発明の目的は、電源装置からの電気供給量の増加を抑えつつ、装置内の温度を短時間で２５００ ℃以上の超高温にすることができる装置を提供することである。
【課題を解決するための手段】
【０００８】
本発明の熱処理装置は、内部が２５００ ℃以上３５００ ℃以下となる炉と、前記炉内に配置されたヒーターと、前記炉内で熱処理される被処理物と前記ヒーターとの間に配置され、被処理物を全包囲した隔壁と、前記隔壁に接続されているとともに前記隔壁内と前記炉外とを連通したガス導入路及びガス排出路とを備えており、前記隔壁がガス不透過性である。
【０００９】
上記装置では、被処理物から揮発した金属等（金属、金属化合物）が隔壁内に拡散し、隔壁内のガスとともにガス排出路を通って炉外に排出される。隔壁がガス不透過性であるため、隔壁内に拡散した金属等は炉外に排出され、隔壁外のヒーターが配置された空間へ移動しない。すなわち、炉内空間に導電化促進物質が拡散しないため、ヒーターに電気が流れ、炉内の雰囲気ガスに電気が殆ど流れない。これにより炉内温度が上昇しやすくなるため、電源装置からの電気供給量を増加させることなく、炉内温度を短時間で２５００ ℃以上の超高温にすることができる。
【００１０】
また、上記装置において、前記ヒーター、前記隔壁、前記ガス導入路及び前記ガス排出路の主成分が炭素であり、前記ヒーター、前記隔壁、前記ガス導入路及び前記ガス排出路の灰分が５０ ｐｐｍ以下であることが好ましい。これらの炉内部品に含まれる不純物は導電化促進物質であり、炉内に拡散すると雰囲気ガスの導電化を促進させるが、上記灰分では炉内部品に含まれる不純物量が少ないので、装置内を２５００ ℃以上にしても揮発する不純物量が少ない。したがって、電源装置から流した電気は炉内の雰囲気ガスに殆ど流れず、ヒーターに流れるため、炉内温度を短時間で２５００ ℃以上の超高温にすることができる。
【００１１】
また、前記隔壁は、熱分解炭素被覆炭素材、ガラス状炭素被覆炭素材、及び炭化タンタル被覆炭素材からなる群から選ばれた少なくとも１つであることが好ましい。炭素材を被覆する膜は２５００ ℃以上でも安定しているため、ヒーターの熱を被処理物に確実に伝えることができる。また、炭素材が被覆されていることにより、炭素材から不純物が放出されるのを抑止できる。さらに、熱分解炭素、ガラス状炭素及び炭化タンタルの被覆膜は導電性物質を放出するおそれが小さいため、隔壁に起因するヒーターの抵抗変化率の減少率を小さくできる。
【００１２】
また、本発明の熱処理装置は、内部が２５００ ℃以上３５００ ℃以下となる炉と、前記炉内に配置されたヒーターと、前記炉内で熱処理される被処理物と前記ヒーターとの間に配置され、被処理物の一部または全部を包囲した隔壁と、前記隔壁に接続されているとともに前記隔壁内と前記炉外とを連通したガス排出路とを備えており、前記炉内において熱処理中の気体の流れが前記隔壁外から前記隔壁内に向かっている。
【００１３】
上記装置では、炉内のガスが隔壁外から隔壁内に向かって流れているため、被処理物から揮発した金属等はガス排出路を通って装置外に排出され、隔壁外のヒーターが配置された空間に拡散しない。これによりヒーターに流した電気は炉内の雰囲気ガスに殆ど流れず、ヒーターに流れるため、装置内の温度が上昇しやすい。したがって電源装置からの電気供給量を増加させることなく、装置内の温度を短時間で２５００ ℃以上の超高温にすることができる。
【００１４】
また、上記装置において、被処理物の全部を包囲する前記隔壁はガス透過性であることが好ましい。炉内のガスが隔壁を通過して隔壁内へ移動し、隔壁内の金属等とともにガス排出路を通って装置外に排出されるため、電源装置から流した電気は炉内の雰囲気ガスに殆ど流れず、ヒーターに流れる。
【００１５】
また、上記装置において、前記ヒーター、前記隔壁及び前記ガス排出路の主成分は炭素であり、前記ヒーター、前記隔壁及び前記ガス排出路の灰分が５０ ｐｐｍ以下であることが好ましい。これらの炉内部品に含まれる不純物は導電化促進物質であり、炉内に拡散すると雰囲気ガスの導電化を促進させるが、上記灰分では炉内部品に含まれる不純物量が少ないので、装置内を２５００ ℃以上にしても揮発する不純物量が少ない。したがって、電源装置から流した電気は炉内の雰囲気ガスに殆ど流れず、ヒーターに流れるため、炉内温度を短時間で２５００ ℃以上の超高温にすることができる。
【００１６】
また、上記装置において、前記隔壁外と前記隔壁内とで気圧差を生じさせる気圧差発生手段を備えていることが好ましい。気圧差発生手段により炉内のガス流れを隔壁外から隔壁内に向かうようにすることができる。
【００１７】
上記装置において、２５００ ℃から２９００ ℃にかけての前記ヒーターの抵抗変化率の減少率が２０ ％以下であることが好ましい。２５００ ℃以上でもヒーターの抵抗変化率があまり減少しないため、ヒーターの発熱量が殆ど低減しない。したがって炉内の温度を短時間で且つ確実に超高温にすることができる。
【００１８】
また、前記被処理物にＡｌ、Ｂ、Ｂｅ、Ｃａ、Ｃｕ、Ｆｅ、Ｋ、Ｌｉ、Ｍｇ、Ｎａ、Ｎｉ、Ｓ、Ｓｉ、Ｔｉ、Ｖ、及びＺｎからなる群から選ばれた少なくとも１種類の金属又はこれら金属の化合物（以下金属等」と称する）が含まれていることがある。これらの金属等は沸点が比較的低く、２５００ ℃以上で揮発しやすい導電化促進物質であるが、上述した装置では被処理物から揮発した金属等はガス排出路を通って装置外に排出され、ヒーターが配置された空間に拡散しない。したがって電源装置から流した電気が殆どヒーターに流れる。よって被処理物に上記金属等が含まれていても、装置内の温度を短時間で２５００ ℃以上の超高温にすることができるため、本発明の装置による効果が最大限活かされる。
【００１９】
さらに、前記ヒーターは筒状に形成され、内部に被処理物を配置するるつぼが前記ヒーターの内側に配置されていることが好ましい。筒状のヒーターの内側に熱伝導性の良いるつぼを配置することにより、ヒーターの熱がるつぼを介して被処理物に伝わりやすい。したがって被処理物を効率良く加熱することができる。
【発明の効果】
【００２０】
本発明によると、電源装置からの電気供給量の増加を抑えつつ、装置内の温度を短時間で２５００ ℃以上の超高温にすることができる。
【図面の簡単な説明】
【００２１】
【図１】本発明の第１実施形態に係る熱処理炉の内部構成を示す模式断面図である。
【図２】図１に示すヒーターの斜視図である。
【図３】本発明の第２実施形態に係る熱処理炉の内部構成を示す模式断面図である。
【図４】比較例で用いた熱処理炉の内部構成を示す模式断面図である。
【図５】実験（Ｎｏ.１とＮｏ.３）の結果を示す図である。
【発明を実施するための形態】
【００２２】
以下、本発明の実施形態について説明する。
【００２３】
〔第１実施形態〕
熱処理装置１は、熱処理炉２と、電源装置３とを備えている。熱処理炉２内には、ヒーター４と、ヒーター４の内側に隔壁５とが配置されている。隔壁５内にはるつぼ６が配置されている。るつぼ６内には被処理物１００が配置されている。また、ヒーター４の外側には、断熱材７が配置されている。
【００２４】
熱処理炉２は水冷ジャケット８で覆われている。水冷ジャケット８により熱処理炉２の外面が高温になることを抑止できる。熱処理炉２の底壁にはガス導入管９が貫通している。熱処理炉２の側壁（図１中の左側壁）にはガス排出管１０が貫通している。熱処理炉２の天井壁には、炉内圧力を測定する圧力計１１が取り付けられている。
【００２５】
電源装置３は２つの黒鉛電極２１及び黒鉛電極２２によってヒーター４に接続されている。電源装置３には、電圧計及び電流計が内蔵されている。
【００２６】
ヒーター４は、図２に示すように、円筒状に形成されている。ヒーター４にはスリット４ａ及びスリット４ｂが周方向に交互に形成されている。スリット４ａはヒーター４の下端から上方向に形成され、スリット４ｂはヒーター４の上端から下方向に形成されている。ヒーター４の主成分は炭素であり、ヒーター４は例えば黒鉛材料から形成されている。
【００２７】
隔壁５は、図１に示すように箱状の部材であり、るつぼ６及び被処理物１００を全包囲するように配置されている。隔壁５の底部には黒鉛管１２の一端が配置されている。黒鉛管１２の下方には黒鉛管１３及び配管１４が順に配置されている。黒鉛管１２と黒鉛管１３と配管１４は連通し、隔壁５内と熱処理炉２外とを連通したガス導入路を形成している。配管１４には金属製の配管等を用いることができる。
【００２８】
隔壁５の天井部には、黒鉛管１５の一端が配置されている。黒鉛管１５の上方には配管１６が配置されている。黒鉛管１５と配管１６は連通し、隔壁５内と熱処理炉２外とを連通したガス排出路を形成している。配管１６には金属製の配管等を用いることができる。
【００２９】
熱処理炉２の内部は、隔壁５の内側の処理空間Ａ1と、隔壁５の外側の外部空間Ｂ1とに分かれている。処理空間Ａ1は、隔壁５に囲まれた空間である。隔壁５はガス不透過性であり、処理空間Ａ1のガスが隔壁５を通過して外部空間Ｂ1へ移動することはない。また、外部空間Ｂ1のガスが隔壁５を通過して処理空間Ａ1へ移動することもない。
【００３０】
ガス不透過性とは、例えば、常温で平均圧力１００ ｋＰａ（１気圧）の条件下で、窒素ガスで測定した時の透過率が好ましくは１．０×１０-5 ｃｍ2／ｓ以下であることを言う。隔壁５には、熱分解炭素被覆炭素材、ガラス状炭素被覆炭素材及び炭化タンタル被覆炭素材からなる群から選ばれた少なくとも１つを用いることができる。熱分解炭素、ガラス状炭素及び炭化タンタルの被覆膜は超高温下でも安定であり、ヒーターの熱を被処理物に有効に伝達する。また、熱分解炭素、ガラス状炭素及び炭化タンタルの被覆膜では、被覆膜自体から導電性物質が放出されるおそれが小さい。さらにこれらの被覆膜で炭素材を被覆することにより、炭素材から不純物が放出されることを抑止できる。
【００３１】
２５００ ℃から２９００ ℃に至るヒーター４の抵抗変化率の減少率は２０ ％以下であることが好ましく、より好適には１５ ％以下である。２５００ ℃以上の減少率が上記のように低い場合、２５００ ℃以上でもヒーターの発熱量Ｈ（＝Ｉ2ＲT）が低下しにくい。したがって炉内目標温度が２５００ ℃以上の超高温であっても、炉内温度が目標温度に到達する。
【００３２】
抵抗変化率は以下の式で表される。抵抗変化率とは、室温の抵抗を１としたときに対する高温時の抵抗の変化の度合いである。
2016109424.tif 000003
また、２５００ ℃から２９００ ℃に至る抵抗変化率の減少率は以下の式で表される。
抵抗変化率の減少率＝（２５００ ℃の抵抗変化率−２９００ ℃の抵抗変化率）／２５００ ℃の抵抗変化率
【００３３】
断熱材７は、ヒーター４の外周面に対向するように配置された外周断熱部７ａと、ヒーター４の上方に配置された上断熱部７ｂと、ヒーター４の下方に配置された下断熱部７ｃとを有している。断熱材７は炭素繊維を含む材料で形成されている。
【００３４】
ヒーター４と、隔壁５と、ガス導入路（黒鉛管１２及び黒鉛管１３）と、ガス排出路（黒鉛管１５）等の炉内部品には、原料に由来するアルミニウム、鉄、チタン、ケイ素等の金属成分、若しくは金属化合物等の高沸点物質（不純物）が含まれる。上記炉内部品の灰分は５０ ｐｐｍ以下であることが好ましく、より好適には４０ ｐｐｍ以下である。灰分とは、ＪＩＳ  Ｒ  ７２２３に示される方法で測定され、黒鉛を空気浴中にて約８００ ℃で燃焼したときの非揮発性残滓の濃度のことであり、黒鉛中の不純物量を評価する一つの化学的物性である。灰分が５０ ｐｐｍ以下であると、熱処理炉２の内部空間が２５００ ℃以上となっても、炉内部品から揮発する不純物量が少ない。
【００３５】
上記の炉内部品は、例えば下記の方法で製造される。
コークス等の原料を粉砕し（粉砕工程）、粉砕した原料とバインダー（結合材）を混合する（混捏工程）。得られた混合物を粉砕し、成形する（成形工程）。このとき、冷間静水圧成形法等を用いることができる。成形物を焼成することで炭化させ（焼成工程）、必要に応じてピッチ含浸や再焼成を行う（ピッチ含浸工程、再焼成工程）。その後、焼成物を約３０００ ℃で熱処理することにより黒鉛化（黒鉛化工程）する。
【００３６】
次に、熱処理装置１で被処理物１００を加熱処理する方法及び熱処理炉２内のガス流れについて説明する。
【００３７】
ガス導入管９から熱処理炉２内にアルゴンガスを含むガスを導入する。またガス排出管１０を開状態とし、熱処理炉２内のガスをガス排出管１０から熱処理装置１外に放出できるようにする。
【００３８】
さらに、隔壁５内に配管１４から黒鉛管１３及び黒鉛管１２を介してアルゴンガスを含むガスを導入する。また、隔壁５内のガスが黒鉛管１５を介して配管１６から熱処理装置１外に放出できるようにする。
【００３９】
上記により、熱処理炉２内の空間（処理空間Ａ1及び外部空間Ｂ1）はアルゴンガスを含むガス雰囲気となる。なお、隔壁５はガス不透過性であるため、隔壁５内の処理空間Ａ1に存在するガスや被処理物から揮発した不純物等は、隔壁５を通過して外部空間Ｂ1へ移動しない。また、隔壁５外の外部空間Ｂ1に存在するガスや被処理物は、隔壁５を通過して処理空間Ａ1へ移動しない。
【００４０】
電源装置３を作動させると、電源装置３から黒鉛電極２１及び黒鉛電極２２を介してヒーター４に電気が流れ、ヒーター４が発熱する。これにより熱処理炉２内の温度が上昇し、るつぼ６内の被処理物１００が加熱される。熱処理炉２内が２５００ ℃以上の超高温となることで、被処理物１００から金属等の不純物（導電化促進物質）が揮発しても、不純物は隔壁５を通過せず、処理空間Ａ1のガスとともに黒鉛管１５及び配管１６を通って熱処理炉２の外部に排出される。
【００４１】
そのため外部空間Ｂ1には導電化促進物質が殆ど存在しない。これにより電源装置３から供給された電気の殆どがヒーター４に流れ、外部空間Ｂ1の雰囲気ガスに流れない。したがって炉内の温度が上昇しやすい。また炉内の目標温度が２５００ ℃以上の超高温である場合でも、電源装置３から供給された電気供給量を増加させることなく、炉内温度が短時間で目的温度に到達する。
【００４２】
ここで、るつぼ６内の被処理物１００にＡｌ、Ｂ、Ｂｅ、Ｃａ、Ｃｕ、Ｆｅ、Ｋ、Ｌｉ、Ｍｇ、Ｎａ、Ｎｉ、Ｓ、Ｓｉ、Ｔｉ、Ｖ、及びＺｎからなる群から選ばれた少なくとも１種類の金属又はこれら金属の化合物（以下「金属等」と称する）が含まれていることがある。これらの金属等の沸点は比較的低く、２５００ ℃以上で揮発しやすい導電化促進物質であるが、隔壁５を通過せず、隔壁５内のガスとともに黒鉛管１５及び配管１６を通って熱処理炉２の外部に排出される。したがって被処理物１００に金属等が含まれていても、炉内温度を短時間で２５００ ℃以上の超高温にすることができるため、上記効果が最大限活かされる。
【００４３】
また、ヒーター４、隔壁５、ガス導入路（黒鉛管１２、黒鉛管１３）、及びガス排出路（黒鉛管１５）等の炉内部品の灰分が５０ ｐｐｍ以下であるときは、熱処理炉２内が超高温となっても、これらの部品から高沸点物質が殆ど揮発しないため、外部空間Ｂ1に導電化促進物質が殆ど存在しない。したがって電源装置から流した電気は炉内の雰囲気ガスに殆ど流れず、ヒーター４に流れるため、炉内温度を短時間で２５００ ℃以上の超高温にすることができる。
【００４４】
また、隔壁５が、熱分解炭素被覆炭素材、ガラス状炭素被覆炭素材、及び炭化タンタル被覆炭素材からなる群から選ばれた少なくとも１つであるときは、炭素材を被覆する膜が２５００ ℃以上でも安定しているため、ヒーターの熱を被処理物に確実に伝えることができる。また、炭素材が被覆されていることにより、炭素材から不純物が放出されるのを抑止できる。さらに、熱分解炭素、ガラス状炭素及び炭化タンタルの被覆膜は導電性物質が放出するおそれが小さいため、隔壁５に起因するヒーターの抵抗低下を防ぐことが出来る。
【００４５】
また、２５００ ℃から２９００ ℃にかけてのヒーター４の抵抗変化率の減少率が２０ ％以下であると、２５００ ℃以上でもヒーター４の抵抗変化率があまり減少しないため、ヒーター４の発熱量が殆ど低減しない。したがって炉内の温度を短時間で且つ確実に２５００ ℃以上の超高温にすることができる。
【００４６】
さらに、円筒状のヒーター４の内側に熱伝導性が良好なるつぼ６を配置することにより、ヒーター４の熱がるつぼ６を介して被処理物１００に伝わりやすい。したがって被処理物１００を効率良く加熱することができる。
【００４７】
〔第２実施形態〕
次に、第２実施形態について、図３を参照しつつ説明する。第２実施形態において第１実施形態と異なる点は、隔壁の構成とガス導入路を有さない点である。なお、上述した第１実施形態と同一の構成については同一の符号を用い、その説明を適宜省略する。
【００４８】
隔壁２０５は、図３に示すように箱状の部材であり、るつぼ６及び被処理物１００を全包囲するように配置されている。隔壁２０５の底部には黒鉛管２１５の一端が配置されている。黒鉛管２１５の下方には黒鉛管２１６及び配管２１７が順に配置されている。黒鉛管２１５と黒鉛管２１６と配管２１７は連通し、隔壁２０５内と熱処理炉２外とを連通したガス排出路を形成している。配管２１７には金属製の配管等を用いることができる。黒鉛管２１５及び黒鉛管２１６の灰分は５０ ｐｐｍ以下であることが好ましく、より好適には４０ ｐｐｍ以下である。
【００４９】
熱処理炉２の内部空間は、隔壁２０５の内側の処理空間Ａ2と、隔壁２０５の外側の外部空間Ｂ2とに分かれている。処理空間Ａ2は、隔壁５に囲まれた空間である。隔壁５はガス透過性である。隔壁２０５は、例えば炭素繊維強化炭素複合材料（Ｃ／Ｃコンポジット）、多孔質黒鉛材、炭素材等によって形成されている。
【００５０】
熱処理装置２０１で被処理物１００を加熱処理するときは、ガス導入管９から熱処理炉２にアルゴンガスを含むガスを導入し、隔壁５内のガスが黒鉛管２１５及び黒鉛管２１６を介して配管２１７から熱処理装置１外に放出できるようにする。また、熱処理炉２内でガス流れが外部空間Ｂ2から処理空間Ａ2に向かうようにする。この方法として、例えば、ガス導入管９の入口に増圧機または配管２１７の出口にポンプ等の気圧差発生手段を配置して、外部空間Ｂ2の気圧を処理空間Ａ2の気圧より高くする方法がある。また、気圧差発生手段等の他の部材を用いることなく、配管２１７から熱処理装置１外にガスを放出可能な状態にする、ガス導入管９から熱処理炉２へのガス導入量を多くする（例えば配管２１７からのガス吸引量よりも多くする）、又は配管２１７からのガス吸引量を多くする（例えば、ガス導入管９から熱処理炉２へのガス導入量よりも多くする）等の方法によっても、炉内のガス流れを外部空間Ｂ2から処理空間Ａ2に向かうようにすることができる。
【００５１】
上記により、熱処理炉２内の空間（処理空間Ａ2及び外部空間Ｂ2）は、アルゴンガスを含むガス雰囲気となる。
【００５２】
電源装置３を作動させると、ヒーター４が発熱し、熱処理炉２内の温度が上昇してるつぼ６内の被処理物１００が加熱される。熱処理炉２内が２５００ ℃以上の超高温となることで、被処理物１００から金属等の不純物（導電化促進物質）が揮発しても、炉内のガスは外部空間Ｂ2から処理空間Ａ2に向かって流れるため、不純物は外部空間Ｂ2に移動せず、処理空間Ａ2のガスとともに黒鉛管２１５及び黒鉛管２１６を介して配管２１７から熱処理炉２の外部に排出される。そのため外部空間Ｂ2には導電化促進物質が殆ど存在しない。これにより電源装置３から供給された電気の殆どがヒーター４に流れ、外部空間Ｂ2の雰囲気ガスに流れないため、炉内の温度が上昇しやすい。したがって、炉内の目標温度が２５００ ℃以上の超高温である場合でも、電源装置からの電気供給量を増加させることなく、炉内温度が短時間で目的温度に到達する。
【００５３】
また、ガス排出路（黒鉛管２１５及び黒鉛管２１６）の灰分が５０ ｐｐｍ以下であるときは、熱処理炉２内が超高温となっても、これらの部品から揮発する高沸点物質が殆どないため、外部空間Ｂ2に導電化促進物質が殆ど存在しない。したがって電源装置から流した電気は炉内の雰囲気ガスに殆ど流れず、ヒーター４に流れるため、炉内温度を短時間で２５００ ℃以上の超高温にすることができる。
【００５４】
なお、第２実施形態ではガス透過性の隔壁２０５がるつぼ６及び被処理物１００を全包囲するように配置されているが、隔壁２０５はるつぼ６及び被処理物１００の一部（外周部等）だけを包囲する構成としてもよい。例えば、隔壁２０５の上端部の一部が開口し、隔壁２０５が被処理物１００の上端部の一部を覆っていなくてもよい。また、隔壁２０５の下端部の一部が開口し、隔壁２０５が被処理物１００の下端部の一部を覆っていなくてもよい。またるつぼ６及び被処理物１００の一部を包囲する隔壁２０５はガス不透過性でもよい。隔壁２０５がガス不透過性である場合は、隔壁２０５の開口から隔壁２０５内にガスが流入することにより、炉内のガスが外部空間Ｂ2から処理空間Ａ2に向かって流れて上記効果が得られる。
【実施例】
【００５５】
次に、本発明の実施例及び比較例を説明する。
【００５６】
（１）るつぼの周囲に隔壁を配置した場合と隔壁を配置しなかった場合の炉内到達温度とヒーターの抵抗変化率の減少率を測定した。
【００５７】
実施例１では、るつぼの周囲にガス不透過性の隔壁を配置した。実施例２では、るつぼの周囲にガス透過性の隔壁を配置した。比較例１では、るつぼの周囲に隔壁を配置しなかった。実施例１では図１に示す熱処理装置を用い、実施例２では図３に示す熱処理装置を用い、比較例１では図４に示す熱処理装置を用いた。比較例１の熱処理装置は、実施例１の熱処理装置の隔壁５、ガス導入路（黒鉛管１２、黒鉛管１３、配管１４）、及びガス排出炉（黒鉛管１５、配管１６）を有さない点と、圧力計１１及びガス排出管３１０の位置が異なる点とで、実施例１の熱処理装置と異なる。比較例１の熱処理装置では、熱処理炉２内のガスがガス排出管３１０から熱処理炉２外に排出される。
【００５８】
炉内をアルゴンガス雰囲気とし、炉内目標温度を３０００ ℃とした。ヒーターの抵抗変化率（ＲT／Ｒ0）において、抵抗ＲTを昇温中に測定した電源装置の電圧及び電流から求め、抵抗Ｒ0を設置前に炉外にて専用装置で測定した。表１にはこれらの結果を示している。
【００５９】
【表１】
2016109424.tif 000004
【００６０】
表１に示すように、実施例１及び実施例２では炉内温度が目標の３０００ ℃に到達したが、比較例１では２９７０ ℃と３０００ ℃に到達しなかった。また、２５００ ℃から２９００ ℃にかけてのヒーターの抵抗変化率の減少率は、実施例１では６ ％、実施例２では７ ％であり、いずれも２０ ％以下であったが、比較例１では２７ ％であり２０ ％を超えていた。
【００６１】
実施例１及び実施例２では、被処理物から揮発した不純物（導電化促進物質）が隔壁外に移動せず、電気の殆どがヒーター４に流れたと考えられる。比較例１では、被処理物から揮発した不純物が炉内に拡散し、雰囲気ガスの導電化を促進したことで雰囲気ガスが電流のバイパスとなり、電気が雰囲気ガスに流れたと考えられる。また、揮発した不純物が多いため、ヒーターの抵抗変化率の減少率が高くなったと考えられる。これらにより炉内温度が目標温度の３０００ ℃に到達しなかった。
【００６２】
（２）ヒーターの灰分を変えたときの炉内到達温度と抵抗変化率の減少率を調べた。
図４に示す装置を用いた。但し被処理物１００を充填せずに、（１）と同様に炉内をアルゴンガス雰囲気とし、炉内の目標到達温度を３０００ ℃として昇温操作を行った。ヒーターの抵抗変化率（ＲT／Ｒ0）については、（１）と同様な方法で求めた。表２にはこれらの結果を示している。また図５に実験Ｎｏ.１とＮｏ.３の抵抗変化率の減少率を示している。
【００６３】
【表２】
2016109424.tif 000005
【００６４】
表２に示すように、Ｎｏ.１及びＮｏ.２では炉内温度が目標の３０００ ℃に到達したが、Ｎｏ.３では２９１０ ℃と３０００ ℃に到達しなかった。また、２５００ ℃から２９００ ℃にかけてのヒーターの抵抗変化率の減少率は、Ｎｏ.１では１５ ％、Ｎｏ.２では ９ ％であり、いずれも２０ ％以下であったが、Ｎｏ.３では２５ ％であり、２０ ％を超えていた。
【００６５】
Ｎｏ.１及びＮｏ.２では、ヒーターの灰分量が低いため、ヒーターから揮発する不純物（導電化促進物質）が殆どなかったものと考えられる。その結果、電気が殆どヒーターに流れ、ヒーターの抵抗変化率の減少率が小さくなると共に炉内温度が目標温度に達したと考えられる。一方Ｎｏ.３では、ヒーターの灰分量が多いため、ヒーターから不純物が多く揮発し炉内に拡散することにより、炉内雰囲気ガスの導電化が促進されたと考えられる。これにより電源装置から流した電気が雰囲気ガスに流れた結果、ヒーターの抵抗変化率の減少率が大きくなり、炉内温度が目標温度に達しなかったと考えられる。上記現象は、Ｎｏ.１とＮｏ.３との抵抗変化率に差異が生じ始めた２５００ ℃近辺から生じたことが図５からわかった。
【００６６】
Ｎｏ.１〜Ｎｏ.３の実験では図４に示す装置を用いたが、被処理物を用いていないため、図４の炉内空間は、図１の外部空間Ｂ1及び図３の外部空間Ｂ2と同じ状態である。したがって、上記実験を図１に示す熱処理装置及び図３に示す熱処理装置を用いて行っても、表２と同様な結果が得られると考えられる。
【００６７】
以上、本発明の実施形態について図面に基づいて説明したが、具体的な構成は、これらの実施形態に限定されるものでないと考えられるべきである。本発明の範囲は上記した説明ではなくて特許請求の範囲によって示され、特許請求の範囲と均等の意味及び範囲内でのすべての変更が含まれる。
【００６８】
例えば、第１実施形態及び第２実施形態に示すヒーター４、隔壁５,２０５、ガス導入路（黒鉛管１２、黒鉛管１３、配管１４）、ガス排出路（黒鉛管１５,２１５,２１６、配管１６,２１７）及び断熱材７の形状等は一例であり、変更可能である。また、ガス導入管９及びガス排出管１０の位置も変更可能である。
【００６９】
また、第１実施形態及び第２実施形態では、配管１４、配管１６及び配管２１７として金属製の配管を例示したが、非金属製の配管を用いてもよい。配管１４、配管１６及び配管２１７に非金属製の配管を用いた場合、配管１４、配管１６及び配管２１７の灰分は５０ ｐｐｍ以下であることが好ましく、より好適には４０ ｐｐｍ以下である。このような灰分量であると、熱処理炉の内部空間が２５００ ℃以上となっても、配管１４、配管１６及び配管２１７から揮発する高沸点物質が殆どないため、電源装置から流した電気は炉内の雰囲気ガスに殆ど流れず、ヒーターに流れる。
【符号の説明】
【００７０】
１,２０１      熱処理装置
２             熱処理炉（炉）
４             ヒーター
５,２０５      隔壁
６             るつぼ
７             断熱材
９             ガス導入管
１０,３１０    ガス排出管
１２,１３      黒鉛管（ガス導入路）
１４           配管（ガス導入路）
１５,２１５,２１６           黒鉛管（ガス排出路）
１６,２１７                  配管（ガス排出路）
１００         被処理物
【図１】
2016109424.tif 000006
【図２】
2016109424.tif 000007
【図３】
2016109424.tif 000008
【図４】
2016109424.tif 000009
【図５】
2016109424.tif 000010